(57)【要約】【課題】  出力レベルを高精度に校正するために直交変調器のキャリアリークに起因する出力レベル誤差を軽減したベクトル変調信号発生装置を提供する。【解決手段】  直交変調手段４が複素正弦波信号発生手段２４から出力される校正用信号によって直交変調されているときには、帰還回路７から出力される帰還電圧が制御信号としてレベル可変手段５に入力されてＡＬＣループが形成され、直交変調手段４がベースバンド信号により直交位相変調されているときには、ＡＬＣループが形成されていたときの帰還電圧がサンプルホールド手段８でサンプルホールドされ、このホールド電圧が制御信号としてレベル可変手段５に入力されるように構成されたベクトル変調信号発生装置であって、上記校正用信号を、直交変調手段４に入力されるＩ信号とＱ信号の振幅が同一で位相差が９０度、かつ周波数が上記ＡＬＣループの応答帯域よりも高い複素正弦波信号とした。【選択図】  図１
2006013588.tif 000002
【特許請求の範囲】
【請求項１】
ベースバンド信号発生手段（１）と、ベースバンド信号をローカル信号に基づいて直交変調する直交変調手段（４）と、前記直交変調手段からの出力レベルを校正するための校正用信号を出力する校正用信号発生手段（２）と、前記校正用信号に基づいてＲＦ出力レベルの補正値を求めるＡＬＣループと、ＡＬＣループで求められ、前記ＲＦ出力の補正値を記憶するサンプリングホールド手段（８）を備えたベクトル信号発生装置において、
前記校正用信号発生手段は、前記校正用信号として、前記直交変調手段に入力されるＩ信号とＱ信号の振幅が同一で位相差が９０度となる複素正弦波信号で、かつ、当該複素正弦波信号の周波数が前記ＡＬＣループの応答帯域よりも高い周波数である複素周波数信号を発生する複素正弦波信号発生手段であることを特徴とするベクトル変調信号発生装置。
【請求項２】
ベースバンド信号を発生するベースバンド信号発生手段（１）と、出力レベルを校正するための校正用信号を発生する校正用信号発生手段（２）と、前記ベースバンド信号と前記校正用信号とを切り替えて出力する第１の切替手段（３）と、該第１の切替手段から入力される信号によって搬送波を直交変調して出力する直交変調手段（４）と、該直交変調手段から出力される直交変調信号を受けて、該直交変調信号のレベルを制御信号によって変化させて出力するレベル可変手段（５）と、該レベル可変手段から出力される直交変調信号の一部を受けて、該信号を検波して得られる検波電圧に基づいて、前記レベル可変手段から出力される前記直交変調信号の出力レベルを所定のレベルとするための帰還電圧を発生させ出力する帰還手段（７）と、該帰還手段から出力される前記帰還電圧をサンプルホールドするサンプリングホールド手段（８）と、該サンプリングホールド手段から出力されるホールド電圧と前記帰還手段から出力される帰還電圧とを切り替えて前記レベル可変手段の制御信号として出力する第２の切替手段（９）と、前記直交変調手段が前記校正用信号により直交変調されているときには、前記帰還電圧を前記レベル可変手段に入力してＡＬＣループが形成され、かつ、前記直交変調手段が前記ベースバンド信号により直交位相変調されているときには、前記ＡＬＣループが形成されていたときの前記ホールド電圧が制御信号として前記レベル可変手段に入力されるように、前記第１の切替手段及び前記第２の切替手段を切り替える制御手段（１０）とを備えたベクトル変調信号発生装置において、
前記校正用信号発生手段は、前記校正用信号として、前記直交変調手段に入力されるＩ信号とＱ信号の振幅が同一で位相差が９０度となる複素正弦波信号で、かつ、当該複素正弦波信号の周波数が前記ＡＬＣループの応答帯域よりも高い周波数である複素正弦波信号を発生する複素正弦波信号発生手段（２４）であることを特徴とするベクトル変調信号発生装置。
【請求項３】
クロックを出力するクロック発生手段と、前記クロックを分周して前記ベースバンド信号発生手段に出力する第１の分周手段（２２）と、前記クロックを分周して前記複素正弦波信号発生手段に出力する第２の分周手段（２３）とを備えたことを特徴とする請求項１又は請求項２記載のベクトル信号発生装置。
【発明の詳細な説明】
【技術分野】
【０００１】
本発明は、搬送波をベースバンド信号で直交変調することによって発生される直交変調信号（ベクトル変調信号）を出力するベクトル変調信号発生装置に関し、特に直交変調信号の出力レベルを高精度に校正できるベクトル変調信号発生装置に関する。
【背景技術】
【０００２】
一般にＩＦ（intermediate frequency）帯、ＲＦ（radio frequency）帯の信号発生装置の出力レベルを安定化あるいは校正するためにＡＬＣ（Automatic Level Control）が用いられる。ベクトル変調信号発生装置の場合、搬送波をベースバンド信号で直交変調して発生させた直交変調信号には包絡線振幅が変動する場合があり、しかもその変動が正弦波状とは限らないために、その直交変調信号に直接ＡＬＣを掛けて出力レベルの校正を行なうとすると、その直交変調信号の実効値検波が特にＲＦ帯で難しく、正確な出力レベルの検出が困難である。したがって、従来、校正用信号として、ＤＣ（direct current）により搬送波を直交変調してＣＷ（continuous wave）信号を発生させ、このＣＷ信号にＡＬＣを掛けて（ＡＬＣオン）出力レベルの校正を行なった後に、この校正された状態を保持するようにＡＬＣをオフにするとともに、変調信号を校正用信号からベースバンド信号に切り替えて直交変調信号を発生させて、出力レベルの校正された直交変調信号を出力するようにしたベクトル変調信号発生装置があった。（例えば、特許文献1参照）。
【０００３】
【特許文献１】特開２００３−４３０８４号公報
【０００４】
この種のベクトル変調信号発生装置の概略構成を図５に示す。ベースバンド信号発生手段１は、このベクトル変調信号発生装置の変調信号（伝送すべきデータ）であるベースバンド信号を発生して第１の切替手段３に出力する。また、校正用信号発生手段２は、このベクトル変調信号発生装置の出力レベルの校正に用いるＣＷ信号を発生させるための、所定のＤＣ電圧でなる校正用信号を発生して第１の切替手段３に出力する。そして、第１の切替手段３は、上記ベースバンド信号と校正用信号とを制御手段１０からの切替信号ａにしたがって切り替えて直交変調手段４に出力する。直交変調手段４は、第１の切替手段３から入力されるＩ信号、Ｑ信号としてのベースバンド信号又は校正用信号により、搬送波（ＩＦ帯）を直交変調し、ＩＦ帯の信号である直交変調信号又はＣＷ信号を発生しレベル可変手段５に出力する。
【０００５】
レベル可変手段５は、直交変調手段４から入力されるＩＦ帯の信号（直交変調信号又はＣＷ信号）のレベル（振幅）を、制御信号にしたがって減衰させてＲＦ回路６へ出力する。ＲＦ回路６は、ミキサ、局部発振器、フィルタ、増幅器等（図示しない）で構成されており、レベル可変手段５を介して直交変調手段４から出力されるＩＦ帯の信号を受けてＲＦ帯の信号に変換し出力する。これにより、上述のベースバンド信号が直交変調手段４に入力されているときには、ＲＦ帯の直交変調信号がこのベクトル変調信号発生装置の出力信号としてＲＦ回路６から外部に出力される。
【０００６】
検波器７ａは、ＲＦ回路６から出力されるＲＦ帯の信号の一部を、ＡＬＣを掛けるための帰還用の信号として受けて検波し、その検波電圧を比較器７ｂに出力する。比較器７ｂは、検波器７ａから入力される検波信号と基準電圧発生器７ｃから入力される基準電圧とを比較し、その誤差信号をループフィルタ７ｄに出力する。ループフィルタ７ｄは、ＡＬＣループの応答帯域を決めるフィルタであり、比較器７ｂから入力される誤差信号を帯域制限して、レベル可変手段の制御信号として第２の切替手段９に出力する。基準電圧発生器７ｃは、制御手段１０から入力されるレベル設定信号ｃで指定される基準電圧を発生し出力する。この基準電圧によって、ＡＬＣループによって安定化させる出力レベルが設定される。なお、検波器７ａ、比較器７ｂ、基準電圧発生器７ｃ及びループフィルタ７ｄは帰還手段７を構成している。
【０００７】
サンプルホールド手段（Ｓ／Ｈ）８は、ループフィルタ７ｄすなわち帰還手段７から出力される帰還電圧を、制御手段１０から入力される保持信号ｂにしたがってサンプルホールドした後に、このホールド電圧を第２の切替手段９に出力する。第２の切替手段９は、上記帰還電圧とホールド電圧とを制御手段１０からの切替信号ａにしたがって切り替えてレベル可変手段５に制御信号として出力する。
【０００８】
制御手段１０は、上述の校正用信号が直交変調手段４に入力されているときに、上述の帰還電圧をレベル可変手段５に入力してＡＬＣループを形成し、上述のベースバンド信号が直交変調手段４に入力されているときに、上述のホールド電圧がレベル可変手段５の制御信号として入力されるように、切替信号ａを第１の切替手段３及び第２の切替手段９に出力する。そして、サンプルホールド手段８には、ＡＬＣループが形成されて出力レベルが安定化された後の帰還電圧をサンプルホールドしてそのホールド電圧を保持するための保持信号ｂを出力する。また、基準電圧発生手段７ｃには、上述の基準電圧を設定するためのレベル設定信号ｃを出力する。
【０００９】
このように構成された従来のベクトル変調信号発生装置において、出力レベルすなわちＲＦ回路６から出力されるＲＦ帯の直交変調信号のレベルは、以下の手順で校正される。
（１）校正用信号が直交変調手段４に入力されて、直交変調手段４からＣＷ信号が出力され、かつ、帰還手段の帰還電圧がレベル可変手段５の制御信号として入力されてＡＬＣループが形成されるように、切替信号ａにより第１の切替手段３及び第２の切替手段９を切り替える。これにより、基準電圧によって設定される出力レベルでＲＦ帯のＣＷ信号の出力レベルの校正が行われる。
【００１０】
（２）保持信号ｂにより、帰還手段の出力信号をサンプルホールドしてその電圧を保持する。これにより、ＣＷ信号で校正されたレベル可変手段5の減衰量が維持される。
【００１１】
（３）ベースバンド信号が直交変調手段４に入力されて、直交変調手段４から直交変調信号が出力され、かつ、ホールド電圧がレベル可変手段５の制御信号として入力されるように、切替信号ａにより第１の切替手段３及び第２の切替手段９を切り替える。これにより、ＡＬＣがオフにされるとともに校正された減衰量がレベル可変手段５に設定されて、ＲＦ帯の直交変調信号の出力レベルが、基準電圧によって設定されたＲＦ帯のＣＷ信号の出力レベル（上記（１））と同一となり、校正が完了する。なお、直交変調信号の出力レベルをＣＷ信号の出力レベルと一致させるために、予め、直交変調信号を発生させるためのベースバンド信号の振幅（実効値）と、ＣＷ信号を発生させるためのＤＣ電圧とを合わせている。
【発明の開示】
【発明が解決しようとする課題】
【００１２】
しかしながら、このような従来のベクトル変調信号発生装置では、以下のような問題があった。すなわち、校正用信号を直交変調手段に入力して、出力レベル校正用のＣＷ信号を直交変調手段で発生させる際、この校正用信号としてＤＣ電圧を用いているために、搬送波と同じＣＷ信号が出力されることとなる。この結果、直交変調手段が有するキャリアリーク（搬送波の出力側への漏れ）とこのＣＷ信号とは常に一定の位相関係でベクトル合成されて直交変調手段から出力される。そして、直交変調手段から出力されるＣＷ信号（キャリアリークとベクトル合成された信号）を用いてＡＬＣを動作させ出力レベルの校正を行うため、このキャリアリークが出力レベルの校正誤差を生じさせる。具体的には、キャリアリークが−４０ｄＢ、ＣＷ信号とキャリアリークが同一位相であったとすると、総電力は振幅加算として求まる（検波器によって検波される）ため、出力レベルの誤差は０．１ｄＢとなる。また、キャリアリークが−３０ｄＢの場合には約０．３ｄＢの誤差となる。このように、出力レベル校正用のＣＷ信号を発生するために、ＤＣを直交変調手段に入力した場合に、直交変調手段のキャリアリークによって出力レベルの校正誤差が生じるという問題があった。
【００１３】
本発明は、これらの課題を解決し、出力レベルを高精度に校正できるベクトル変調信号発生装置を提供することを目的としている。
【課題を解決するための手段】
【００１４】
上記課題を解決するために、本発明の請求項１のベクトル変調信号発生装置では、ベースバンド信号発生手段（１）と、ベースバンド信号をローカル信号に基づいて直交変調する直交変調手段（４）と、前記直交変調手段からの出力レベルを校正するための校正用信号を出力する校正用信号発生手段（２）と、前記校正用信号に基づいてＲＦ出力レベルの補正値を求めるＡＬＣループと、ＡＬＣループで求められ、前記ＲＦ出力の補正値を記憶するサンプリングホールド手段（８）を備えたベクトル信号発生装置において、 前記校正用信号発生手段は、前記校正用信号として、前記直交変調手段に入力されるＩ信号とＱ信号の振幅が同一で位相差が９０度となる複素正弦波信号で、かつ、当該複素正弦波信号の周波数が前記ＡＬＣループの応答帯域よりも高い周波数である複素周波数信号を発生する複素正弦波信号発生手段であることを特徴とする。
【００１５】
また、請求項２のベクトル変調信号発生装置では、ベースバンド信号を発生するベースバンド信号発生手段（１）と、出力レベルを校正するための校正用信号を発生する校正用信号発生手段（２）と、前記ベースバンド信号と前記校正用信号とを切り替えて出力する第１の切替手段（３）と、該第１の切替手段から入力される信号によって搬送波を直交変調して出力する直交変調手段（４）と、該直交変調手段から出力される直交変調信号を受けて、該直交変調信号のレベルを制御信号によって変化させて出力するレベル可変手段（５）と、該レベル可変手段から出力される直交変調信号の一部を受けて、該信号を検波して得られる検波電圧に基づいて、前記レベル可変手段から出力される前記直交変調信号の出力レベルを所定のレベルとするための帰還電圧を発生させ出力する帰還手段（７）と、該帰還手段から出力される前記帰還電圧をサンプルホールドするサンプリングホールド手段（８）と、該サンプリングホールド手段から出力されるホールド電圧と前記帰還手段から出力される帰還電圧とを切り替えて前記レベル可変手段の制御信号として出力する第２の切替手段（９）と、前記直交変調手段が前記校正用信号により直交変調されているときには、前記帰還電圧を前記レベル可変手段に入力してＡＬＣループが形成され、かつ、前記直交変調手段が前記ベースバンド信号により直交位相変調されているときには、前記ＡＬＣループが形成されていたときの前記ホールド電圧が制御信号として前記レベル可変手段に入力されるように、前記第１の切替手段及び前記第２の切替手段を切り替える制御手段（１０）とを備えたベクトル変調信号発生装置において、前記校正用信号発生手段は、前記校正用信号として、前記直交変調手段に入力されるＩ信号とＱ信号の振幅が同一で位相差が９０度となる複素正弦波信号で、かつ、当該複素正弦波信号の周波数が前記ＡＬＣループの応答帯域よりも高い周波数である複素正弦波信号を発生する複素正弦波信号発生手段（２４）であることを特徴とする。
【００１６】
また、請求項３のベクトル変調信号発生装置では、請求項1又は請求項２の信号発生装置において、クロックを出力するクロック発生手段（２１）と、前記クロックを分周して前記ベースバンド信号発生手段に出力する第１の分周手段（２２）と、前記クロックを分周して前記複素信号発生手段に出力する第２の分周手段（２３）とを備えたことを特徴とする。
【発明の効果】
【００１７】
本発明の請求項１又は請求項２のベクトル変調信号発生装置では、校正用信号として、直交変調手段に入力されるＩ信号とＱ信号の振幅が同一で位相差が９０度となる複素正弦波信号で、かつ、この複素正弦波信号の周波数がＡＬＣループの応答帯域よりも高い周波数である複素正弦波信号を用いて、出力レベル校正用のＣＷ信号を直交変調手段で発生させるようにしたので、キャリアリークに起因する出力レベルの校正誤差を軽減でき、出力レベルを高精度に校正できる。
【００１８】
本発明の請求項３のベクトル変調信号発生装置では、ベースバンド信号発生手段または複素正弦波信号発生手段のそれぞれにクロックを供給するクロック発生手段を共通化し、クロックを分周してそれぞれの信号発生手段に出力する分周器をそれぞれ備えているので、ＡＬＣ校正の前後でベースバンド信号発生手段から出力されるベースバンド信号のタイミングの連続性が保つことができる。その結果、被測定対象が信号発生器の出力信号の位相の同期を取りながら測定する場合に、例えばエラーレート測定において、測定中にＡＬＣ校正をしたときでもＡＬＣ校正の前後で連続性が保たれているので、測定を再開する場合に測定を最初から開始する必要がなく中断した時点から再開できる。また、クロック発生手段の共通化により回路規模を小さくすることができる。
【発明を実施するための最良の形態】
【００１９】
以下に本発明の実施例を記載する。
【実施例】
【００２０】
本発明の実施例１のベクトル変調信号発生装置の構成を図１に示す。従来のベクトル変調信号発生装置と同一要素には同一符号を付し詳細説明は省略する。クロック発生手段２１は、制御手段２５から入力される周波数設定信号ｄにしたがって、例えば１００ＭＨｚ〜２００ＭＨｚのクロックを発生して第1の分周手段２２と第2の分周手段２３に出力する。第1の分周手段２２は、制御手段２５から入力される分周比設定信号ｅにしたがって、クロック発生手段２１から入力されるクロックを、例えば１／２、１／４、１／８に分周してベースバンド信号発生手段１に出力する。また、第２の分周手段２３は、クロック発生部２１から入力されるクロックを、例えば１／８に分周して複素正弦波信号発生手段２４に出力する。
【００２１】
ベースバンド信号発生手段１は、第１の分周手段２２から入力されるクロックに同期して、メモリに記憶されている変調信号（伝送すべきデータ）を読み出し、この読み出したデータをベースバンド信号として第１の切替手段３に出力する。また、校正用信号発生手段である複素正弦波信号発生手段２４は、第２の分周手段２３から入力されるクロックに同期して、メモリに記憶されている複素正弦波信号（振幅が同一で位相差９０度のＩ、Ｑ信号）を読み出し、この読み出した複素正弦波信号を校正用信号として第１の切替手段３に出力する。なお、複素正弦波信号はその出力周波数がＡＬＣループの応答帯域よりも高い周波数となるようにしている。例えば、１６倍オーバーサンプリングで約１ＭＨｚとし、ＡＬＣループの応答帯域（約１００ＫＨｚ）より高くしている。
【００２２】
そして、第１の切替手段３は、上記ベースバンド信号と校正用信号とを制御手段２５からの切替信号ａにしたがって切り替えて直交変調手段４に出力する。直交変調手段４は、第１の切替手段３から入力されるＩ信号、Ｑ信号としてのベースバンド信号又は校正用信号（複素正弦波信号）により、搬送波（ＩＦ帯）を直交変調し、ＩＦ帯の信号である直交変調信号又はＣＷ信号を発生しレベル可変手段５に出力する。ここで、複素正弦波信号（周波数Ｆ１）が直交変調手段４（搬送波の周波数Ｆ０）に入力されたときの、複素正弦波信号、直交変調手段４で発生されるＣＷ信号及び直交変調手段４のキャリアリーク（周波数Ｆ０）のスペクトル関係を図２に示す。ＣＷ信号は、（Ｆ０−Ｆ１）及び（Ｆ０＋Ｆ１）のどちらか一方が発生する。また、ＣＷ信号とキャリアリークとの関係は、ＣＷ信号の位相を基準として、キャリアリークによるベクトルが常に周波数Ｆ１に相当する角速度で回転していることになり、直交変調手段の出力信号の包絡線に振幅変動を発生させている。
【００２３】
なお、上述のように、ベースバンド信号と校正用信号とを切り替えて直交変調手段４に入力するようにしているが、ベースバンド信号発生手段１は、校正用信号が直交変調手段４に入力されている間であっても連続的に動作しており、次にベースバンド信号が直交変調手段４に入力されたときに、校正用信号に切り替えられる前と後で、直交変調手段４から出力される直交変調信号のタイミングの連続性が保たれるようにしている。
【００２４】
レベル可変手段５は、直交変調手段４から入力される信号のレベル（振幅）を、制御信号にしたがって減衰させてＲＦ回路６へ出力する。ＲＦ回路６は、ミキサ、局部発振器、フィルタ、増幅器等（図示しない）で構成されており、レベル可変手段５から出力される信号を受けてＲＦ帯の信号に変換し出力する。これにより、上述のベースバンド信号が直交変調手段４に入力されているときには、ＲＦ帯の直交変調信号が本発明のベクトル変調信号発生装置の出力信号としてＲＦ回路６から外部に出力される。
【００２５】
検波器７ａは、ＲＦ回路６から出力されるＲＦ帯の信号の一部を、ＡＬＣを掛けるための帰還用の信号として受けて検波し、その検波電圧を比較器７ｂに出力する。比較器７ｂは、検波器７ａから入力される検波信号と基準電圧発生器７ｃから入力される基準電圧とを比較し、その誤差信号をループフィルタ７ｄに出力する。ループフィルタ７ｄは、ＡＬＣループの応答帯域を決めるフィルタであり、比較器７ｂから入力される誤差信号を帯域制限して、レベル可変手段の制御信号として第２の切替手段９に出力する。なお、ＡＬＣループの応答帯域は、出力レベルの切替時間、前述の複素正弦波信号（校正用信号）の周波数等を考慮して決められる。例えば、図３に示すように、出力レベルの切替時間を１０μｓ、複素正弦波信号の周波数を約１ＭＨｚとし、かかる場合、応答帯域は約１００ＫＨｚとしている。
【００２６】
基準電圧発生器７ｃは、制御手段２５から入力されるレベル設定信号ｃで指定される基準電圧を発生し出力する。この基準電圧によって、ＡＬＣループによって安定化させる出力レベルが設定される。なお、検波器７ａ、比較器７ｂ、基準電圧発生器７ｃ及びループフィルタ７ｄは帰還手段７を構成している。
【００２７】
サンプルホールド手段（Ｓ／Ｈ）８は、帰還手段７から出力される帰還電圧を、制御手段２５から入力される保持信号ｂのパルスでサンプルホールドし、このホールド電圧を第２の切替手段９に出力する。なお、サンプルホールド手段８としては、例えばアナログスイッチとコンデンサを組み合わせたアナログ構成のもの、Ａ／Ｄ変換器とＤ／Ａ変換器を組み合わせたディジタル構成のもの等を用いることができる。第２の切替手段９は、上記帰還電圧とホールド電圧とを制御手段２５からの切替信号ａのパルスで切り替えてレベル可変手段５に制御信号として出力する。
【００２８】
制御手段２５は、上述の校正用信号が直交変調手段４に入力されているときに帰還手段の帰還電圧がレベル可変手段５の制御信号として入力されてＡＬＣループを形成し、かつ、上述のベースバンド信号が直交変調手段４に入力されているときに上述のホールド電圧がレベル可変手段５の制御信号として入力されるように、切替信号ａを第１の切替手段３及び第２の切替手段９に出力する。そして、サンプルホールド手段８には、ＡＬＣループが形成されて出力レベルが安定化された後の帰還電圧をサンプルホールドしてその電圧を保持するための保持信号ｂを出力する。切替信号ａと保持信号ｂのタイミング関係を図４に示す。切替信号ａの発生タイミングは、例えば、直交変調手段４に入力されている搬送波の周波数の変更に伴うレベル校正の場合においては、図４で図示したように搬送周波数の変更と同時に切替信号ａが第１の切替手段３及び第２の切替手段９に出力される。また、基準電圧発生器７ｃ、クロック発生手段２１及び第１の分周手段２２には、上述の基準電圧を設定するためのレベル設定信号ｃ、周波数設定信号ｄ及び分周比設定信号ｅを、それぞれ出力する。
【００２９】
このように構成された本発明のベクトル変調信号発生装置において、出力レベルすなわちＲＦ回路６から出力されるＲＦ帯の直交変調信号のレベルは、以下の手順で校正される。（１）校正用信号が直交変調手段４に入力されて、直交変調手段４からＣＷ信号が出力され、かつ、帰還手段の帰還電圧がレベル可変手段５の制御信号として入力されてＡＬＣループが形成されるように、切替信号ａにより第１の切替手段３及び第２の切替手段９を切り替える。これにより、基準電圧によって設定される出力レベルでＲＦ帯のＣＷ信号の出力レベルが安定化されて、出力レベルの校正が行われる。
【００３０】
（２）保持信号ｂにより、帰還手段の出力信号をサンプルホールドしてその電圧を保持する。これにより、ＣＷ信号で校正されたレベル可変手段5の減衰量が維持される。
【００３１】
（３）ベースバンド信号が直交変調手段４に入力されて、直交変調手段４から直交変調信号が出力され、かつ、ホールド電圧がレベル可変手段５の制御信号として入力されるように、切替信号ａにより第１の切替手段３及び第２の切替手段９を切り替える。これにより、ＡＬＣがオフにされるとともに校正された減衰量が設定されて、ＲＦ帯の直交変調信号の出力レベルが、基準電圧によって設定されたＲＦ帯のＣＷ信号の出力レベル（上記（１））と同一となり、校正が完了する。なお、直交変調信号の出力レベルをＣＷ信号の出力レベルと一致させるために、予め、直交変調信号を発生させるためのベースバンド信号の振幅（実効値）と、ＣＷ信号を発生させるための複素正弦波信号の振幅（実効値）とを合わせている。
【００３２】
このように構成された本発明のベクトル変調信号発生装置においては、上述のように、校正用信号として、直交変調手段４に入力されるＩ信号とＱ信号の振幅が同一で位相差が９０度となる複素正弦波信号で、かつ、この複素正弦波信号の周波数がＡＬＣループの応答帯域よりも高い周波数である複素正弦波信号を用いて、出力レベル校正用のＣＷ信号を直交変調手段４で発生させるようにした。この結果、例え直交変調手段４にキャリアリークがあっても、キャリアリークとＣＷ信号とが常に一定の位相関係でベクトル合成されない、すなわちＣＷ信号の位相を基準とした時にキャリアリークの位相が常に回転しているので、総電力は電力加算として求まり、従来技術の振幅加算で生じたような出力レベルの誤差（校正誤差）はほとんど発生しない。しかも、ＣＷ信号とキャリアリークの周波数が異なることにより包絡線に生じる振幅変動を、ＡＬＣループの応答帯域より高い周波数になるように設定した（複素正弦波信号の周波数で決まる）ので、この振幅変動がＡＬＣループの応答帯域内にあるときに生じる出力レベルの誤差は発生しない。したがって、キャリアリークに起因する出力レベルの誤差はほとんど生じない。具体的には、キャリアリークが−３０ｄＢ〜−４０ｄＢの場合、出力レベルの誤差は約０ｄＢである。
【００３３】
また、分周比が可変の第１の分周手段２２によって分周されたクロックをベースバンド信号発生手段１に入力するようにしたので、ベースバンド信号発生手段１に入力されるクロックの周波数可変範囲、すなわちベースバンド信号発生手段１で発生されるベースバンド信号の周波数可変範囲を広くすることができる。また、分周比が固定の分周手段２３によって分周されたクロックを複素正弦波信号発生手段２４に入力するようにしたので、複素正弦波信号発生手段２４に入力されるクロックの周波数範囲、すなわち複素正弦波信号発生手段２４で発生される複素正弦波信号の周波数範囲が前述のＡＬＣループの応答帯域との関係で制約される帯域以上に広くなることを防止することができる。また、ベースバンド信号発生手段１に入力されるクロックと複素正弦波信号発生手段２４に入力されるクロックを共に、クロック発生部２１のクロックを分周して用いるようにしたので、ベースバンド信号と複素正弦波信号の同期がとれていない場合に生じやすい、回路実装上のリーケージによる出力信号へのスプリアスの混入、すなわち出力信号純度の悪化を防止することができる。
【００３４】
さらに、ベースバンド信号発生手段１は、校正用信号が直交変調手段４に入力されている間であっても連続的に動作しており、次にベースバンド信号が直交変調手段４に入力されたときに、校正用信号に切り替えられる前と後で、直交変調手段４から出力される直交変調信号のタイミングの連続性が保たれるようにした。これにより、測定対象の中継器、受信機等のタイミング同期試験等を行うことができる。
【図面の簡単な説明】
【００３５】
【図１】本発明の実施例１の構成を示す図
【図２】本発明の実施例１の直交変調手段の動作を説明するための図
【図３】本発明の実施例１のＡＬＣループの応答帯域を示す図
【図４】本発明の実施例１のＡＬＣの動作を説明するための図
【図５】従来例の概略構成を示す図
【符号の説明】
【００３６】
１・・・ベースバンド信号発生手段、２・・・校正用信号発生手段、３・・・第1の切替手段、９・・・第２の切替手段、４・・・直交変調手段、５・・・レベル可変手段、６・・・ＲＦ回路、７・・・帰還手段、７ａ・・・検波器、７ｂ・・・比較器、７ｃ・・・基準電圧発生器、７ｄ・・・ループフィルタ、８・・・サンプルホールド手段、１０，２５・・・制御手段、２１・・・クロック発生手段、２２・・・第１の分周手段、２３・・・第２の分周手段、２４・・・複素正弦波信号発生手段。
【図１】
2006013588.tif 000003
【図２】
2006013588.tif 000004
【図３】
2006013588.tif 000005
【図４】
2006013588.tif 000006
【図５】
2006013588.tif 000007